(57)【要約】【課題】時分割復信方式のＣＤＭＡ信号を解析する際に、所望する特定のスロットの電力の推移を、測定者が容易に把握することができる信号解析装置を提供する。【解決手段】  スロット指定手段３６は、測定者からの操作により、測定者が観測を所望するスロットのスロット名を指定可能となっている。表示制御手段３４は、解析部３３に記憶された各スロット毎の電力のうち、スロット指定手段３６で指定されたスロット名に該当するスロットの電力を読み出し、この指定されたスロット名に該当するスロットの電力を時系列に連続して並べてグラフ表示するための表示データを作成して、表示器３５に表示させる。【選択図】  図１
2008306505.tif 000002
【特許請求の範囲】
【請求項１】
解析対象であるＣＤＭＡ信号を受信する受信手段（３２，５７）と、
該受信手段で受信したＣＤＭＡ信号のスロット毎の電力を検出して記憶する解析部（３３，５８，６７）と、
表示器（３５，６１）と、
前記解析部で検出したスロット毎の電力を時系列に並べて前記表示器にグラフ表示する表示制御手段（３４，６０，６８）とを備えた信号解析装置（３１，５１，６４）において、
前記解析対象であるＣＤＭＡ信号は時分割復信方式のＣＤＭＡ信号であり、
当該時分割復信方式のＣＤＭＡ信号のスロット名を指定するスロット指定手段（３６，６２，６５）を備え、
前記表示制御手段は、前記スロット指定手段で指定されたスロット名のスロットの電力を前記解析部から受けて、当該電力を時系列に連続して並べて前記表示器にグラフ表示することを特徴とする信号解析装置。
【請求項２】
前記スロット指定手段は、複数のスロット名を指定可能であることを特徴とする請求項１に記載の信号解析装置。
【請求項３】
前記表示制御手段は、前記スロット指定手段で指定された複数のスロット名別に分けて前記電力を時系列に連続して並べて前記表示器にグラフ表示することを特徴とする請求項２に記載の信号解析装置。
【請求項４】
前記解析部は、前記指定された名のスロットを時系列に並べた場合に、該並べられたスロットそれぞれについて、当該スロットと、当該スロットから所定数離れたスロットとの前記電力の相対値を算出し、
前記表示制御手段が前記表示器に表示するグラフ表示は、前記相対値を時系列に連続して並べたグラフ表示であることを特徴とする請求項１乃至３に記載の信号解析装置。
【発明の詳細な説明】
【技術分野】
【０００１】
本発明は、時分割復信方式（Ｔｉｍｅ  Ｄｉｖｉｓｉｏｎ  Ｄｕｐｌｅｘ）のＣＤＭＡ信号を解析し、解析結果を表示する信号解析装置に関し、特に時分割復信方式のＣＤＭＡ信号のスロット毎の電力をグラフ表示する信号解析装置に関する。
【背景技術】
【０００２】
ＣＤＭＡ通信方式を採用した移動端末機や基地局が出力するＣＤＭＡ信号を受信して解析し、これらの移動端末機や基地局の動作を確認して試験を行うための信号解析装置が知られている。
【０００３】
図１４に、そのような従来の信号解析装置１の構成を示す。信号解析装置１は、受信手段２、解析部３、表示制御手段４および表示器５から構成されている。
【０００４】
受信手段２は、試験対象である移動端末機や基地局が出力するＣＤＭＡ信号を受信可能にされており、受信したＣＤＭＡ信号の信号波形を波形データとして記憶する。
【０００５】
解析部３は、受信手段２が記憶した波形データから、各スロットの位置を検出するとともに、各スロット毎の電力を検出し、その検出した電力を記憶するように構成されている。なお、正確に言えば、解析部３が検出及び記憶するのは電力値あるいは電力量であるが、ここでは電力として記載する。
【０００６】
表示制御手段４は、解析部３に記憶された各スロット毎の電力を読み出し、この各スロット毎の電力をグラフ表示するための表示データを作成して出力する。表示制御手段４は、この表示データを、各スロット毎の電力を受信手段２が受信した順、即ち時系列順に連続して並べて表示させるように作成している。
【０００７】
表示器５は、表示制御手段４が作成した表示データを表示する。
【０００８】
このように構成された信号解析装置１の動作を、図１５を用いて説明する。まず、信号解析装置１は、測定者の操作により測定を開始し、解析対象であるＣＤＭＡ信号を受信手段２で受信して、この信号波形を波形データとして記憶する（Ｓ１）。
【０００９】
次に、解析部３が、受信手段２に記憶されている波形データから、各スロット毎の電力を検出し、その検出した電力を記憶する（Ｓ２）。表示制御手段４は、解析部３に記憶された各スロット毎の電力を読み出し、この各スロット毎の電力を時系列に連続して並べてグラフ表示するための表示データを作成し、この表示データを表示器５に表示させる（Ｓ３）。
【００１０】
図１６は、信号解析装置１の表示器５に表示された解析結果の一例を示している。表示画面６には、縦軸を電力Ｐ（通常、単位ｄＢｍ）、横軸を時間ｔとするグラフが表示されている。ここでは、各スロット毎の電力が棒グラフで表され、画面に向かって左側から右側に時系列に連続して並べられている。このような表示とすることで、ＣＤＭＡ信号の電力（レベル）のスロット単位の時間的な変化を、測定者が容易に把握できる。
【００１１】
このような従来の信号解析装置について、さらに具体例を挙げて説明する。図１７は、ＣＤＭＡ方式により無線通信を行なう移動端末機を試験対象として、移動端末機の送信電力を測定して解析するための信号解析装置１１の構成を示すブロック図である。信号解析装置１１は、クローズドループパワーコントロール（ＣｌｏｓｅｄＬｏｏｐ Ｐｏｗｅｒ Ｃｏｎｔｒｏｌ。インナーループパワーコントールと呼称される場合もある。以下、省略してＣＬＰＣと記載する。）の機能について、移動端末機の試験を行う構成となっている。ＣＬＰＣは、基地局が移動端末機からの信号を受信して測定し、この測定結果に基づいて移動端末機が出力するべき送信電力を移動端末機に指示し、この指示に応じた送信電力で移動端末機が信号を出力するように移動端末機の送信電力が制御される機能である。
【００１２】
図１７の信号解析装置１１は、接続端子１１ａ、方向性結合器１２、電力制御設定手段１３、制御部１４、電力制御要求手段１５、送信回路１６、受信手段１７、解析部１８、判定手段１９、表示制御手段２０、表示器２１から構成されている。さらに、受信手段１７は、受信回路１７ａ、Ａ／Ｄ変換器１７ｂ、メモリ１７ｃから構成されている。また、解析部１８は、スロット検出手段１８ａ、スロット電力検出手段１８ｂ、解析結果メモリ１８ｃから構成されている。
【００１３】
接続端子１１ａは、試験対象の移動端末機２２が同軸ケーブルにより接続可能となっている。接続端子１１ａは、方向性結合器１２を介して送信回路１６と受信回路１７ａにそれぞれ接続される。
【００１４】
電力制御設定手段１３は、移動端末機２２から送信させる信号のスロット数、各スロットの電力、ステップサイズ（ＣＬＰＣ機能におけるスロット間の電力の変化量の設定）等の情報を制御部１４を介して電力制御要求手段１５に設定している。また、電力制御設定手段１３は、測定開始や測定停止の指令も行なっている。
【００１５】
制御部１４は、電力制御設定手段１３からの設定情報に基づき、電力制御要求手段１５に対して移動端末機２２から送信させる信号のスロット数、各スロットの電力、ステップサイズ等の情報の設定を制御している。また、制御部１４は、電力制御設定手段１３より測定開始が指令されたときに、解析部１８のスロット検出手段１８ａに測定の開始を知らせる信号を出力し、所定の測定時間が経過した後に測定の終了を知らせる信号を出力している。
【００１６】
電力制御要求手段１５は、制御部１４の制御により設定されるスロット数、各スロットの電力、ステップサイズ等の情報に対応した送信要求信号を送信回路１６に出力している。また、電力制御要求手段１５は、送信回路１６に送信要求信号を出力するタイミングで解析部１８のスロット検出手段１８ａにトリガ信号を出力している。
【００１７】
送信手段としての送信回路１６は、制御部１４の制御に基づく電力制御要求手段１５からの送信要求信号を受けると、電力制御要求手段１５の送信要求信号の内容に対応した制御情報を方向性結合器１２および接続端子１１ａを介して移動端末機２２に出力している。そして、移動端末機２２は、送信回路１６からの制御情報を受けると、その制御情報の内容に対応した送信電力の信号を出力する。その際、スロット単位で送信電力が制御されて送信される。
【００１８】
受信手段１７の受信回路１７ａは、移動端末機２２から送信された信号を接続端子１１ａ、方向性結合器１２を介して受信している。この受信回路１７ａで受信された信号は、Ａ／Ｄ変換器１７ｂに入力される。
【００１９】
なお、受信回路１７ａの受信周波数は、移動端末機２２から出力される信号の搬送周波数に等しくなるように、予め制御部１４によって設定制御されている。
【００２０】
Ａ／Ｄ変換器１７ｂは、受信した信号をディジタル信号に変換し、その波形データをメモリ１７ｃへ出力する。メモリ１７ｃは、Ａ／Ｄ変換器１７ｂから出力される移動端末機２２からの送信信号の波形データを、制御部１４からの測定開始を知らせる信号を受けてから測定終了を知らせる信号を受けるまでの間連続的に記憶する。なお、このメモリ１７ｃは、データの書き込みとデータの読み出しとが独立に行なえる構造のものである。
【００２１】
メモリ１７ｃに記憶された波形データは、解析部１８によって読み出され解析される。解析部１８は、ＤＳＰ（ディジタルシグナルプロセッサ）によって構成されており、スロット検出手段１８ａ、スロット電力検出手段１８ｂおよび解析結果メモリ１８ｃを有している。
【００２２】
スロット検出手段１８ａは、電力制御要求手段１５からトリガ信号が入力されると、メモリ１７ｃに記憶された波形データをその記憶順に読み出しながら波形データに含まれるスロット数を検出している。
【００２３】
ここで、波形データとは、横軸が時間（メモリではアドレス）、縦軸が電圧レベル（メモリの値）であるが、縦軸を電圧レベルから電力に換算して用いることもできる。
【００２４】
スロット電力検出手段１８ｂは、スロット検出手段１８ａが検出した各スロット毎の電力を算出し、また各スロット間の電力の変化量を算出している。
【００２５】
解析結果メモリ１８ｃは、スロット検出手段１８ａおよびスロット電力検出手段１８ｂによって検出されたスロット数、各スロットの電力、スロット間の電力の変化量を解析結果として記憶している。
【００２６】
判定手段１９は、スロット数、各スロットの電力、スロット間の電力の変化量について、電力制御要求手段１５に記憶されている内容と、解析結果メモリ１８ｃに記憶された内容とを比較し、測定対象の移動端末機２２の送信機能が正常か否かを判定し、移動端末機２２の動作チェックを行なっている。
【００２７】
表示制御手段２０は、解析結果メモリ１８ｃに記憶されたスロット毎の電力を時系列に並べてグラフ表示させる表示データを作成し、必要ならば判定手段１９の判定結果を併せて、表示器２１に表示させる。
【００２８】
信号解析装置１１の動作を、図１８を用いて説明する。図１８は、ＣＬＰＣ機能の試験の一部について表したフローチャートである。
【００２９】
まず、電力制御設定手段１３からの情報により、制御部１４を介してＣＬＰＣ機能の試験を行うための設定が信号解析装置１１の各部に対してなされ、電力制御設定手段１３からの指令で測定が開始される（Ｓ１１）。
【００３０】
そして、電力制御要求手段１５が送信回路１６に対して、移動端末機２２の送信電力をＣＬＰＣの規格における最大送信電力に設定するための設定信号を出力する。送信回路１６は、電力制御要求手段１５からの設定信号を受け、これに対応した制御情報を方向性結合器１２および接続端子１１ａを介して移動端末機２２に出力し、移動端末機２２の送信電力をＣＬＰＣの規格における最大送信電力に設定させる（Ｓ１２）。
【００３１】
さらに、電力制御要求手段１５からの要求により、送信回路１６、方向性結合器１２および接続端子１１ａを介して、移動端末機２２に対して、移動端末機２２の送信電力制御のステップサイズを１ｄＢとする設定がなされる（Ｓ１３）。
【００３２】
同様に、電力制御要求手段１５から移動端末機２２に対して送信要求がなされ、移動端末機２２がＣＬＰＣ規格における最大送信電力での送信を開始する。そして、移動端末機２２からの信号は受信回路１７ａで受信される。受信回路１７ａで受信された信号は、Ａ／Ｄ変換器１７ｂによってディジタルの波形データに変換され、メモリ１７ｃへの波形データの記憶が開始される。それとともに、スロット検出手段１８ａはメモリ１７ｃへ記憶された波形データを読み出し、制御部１４又は電力制御要求手段１５からの情報に基づいて各スロットの開始位置を検出する。スロット電力検出手段１８ｂは、スロット検出手段１８ａで検出されたスロットそれぞれの電力を検出し、解析結果メモリ１８ｃに記憶する（Ｓ１４）。スロット検出手段１８ａ、スロット電力検出手段１８ｂ、解析結果メモリ１８ｃのこれらの動作は、メモリ１７ｃへの波形データの記憶が終了するまで逐次行われる。
【００３３】
そして、電力制御要求手段１５から移動端末機２２に対して、現在設定されているステップサイズ分だけ送信電力を低下させる要求がなされ、移動端末機２２は、現在設定されているステップサイズ分だけ送信電力を低下させて送信を継続する（Ｓ１５）。なお、この送信電力の変更はスロット単位で行われる。
【００３４】
ここで、制御部１４は、移動端末機２２の送信電力が、ＣＬＰＣ測定規格における最小送信電力となっているか否かの判定を行う（Ｓ１６）。移動端末機２２の送信電力が、ＣＬＰＣ測定規格における最小送信電力となっていない場合（Ｓ１６−Ｎｏ）は、さらに送信電力を低下させる制御を行う（Ｓ１５）。移動端末機２２の送信電力が、ＣＬＰＣ測定規格における最小送信電力となってる場合（Ｓ１６−Ｙｅｓ）は、電力制御要求手段１５から移動端末機２２に対して、現在設定されているステップサイズ分だけ送信電力を増加させる要求がなされ、移動端末機２２は、現在設定されているステップサイズ分だけ送信電力を増加させて送信を継続する（Ｓ１７）。
【００３５】
そして、制御部１４は、移動端末機２２の送信電力が、ＣＬＰＣ測定規格における最大送信電力となっているか否かの判定を行う（Ｓ１８）。移動端末機２２の送信電力が、ＣＬＰＣ測定規格における最小送信電力となっていない場合（Ｓ１８−Ｎｏ）は、さらに送信電力を増加させる制御を行う（Ｓ１７）。移動端末機２２の送信電力が、ＣＬＰＣ測定規格における最大送信電力となってる場合（Ｓ１８−Ｙｅｓ）は、制御部１４は、ＣＬＰＣ測定規格における全てのステップサイズ設定について、上述した、移動端末機２２の送信電力を最大送信電力→最小送信電力→最大送信電力と制御してその送信電力の測定を実施したか否かを判定する（Ｓ１９）。全て実施していない場合（Ｓ１９−Ｎｏ）は、移動端末機２２のステップサイズの設定を、測定を実施していない別のステップサイズに変更するよう、電力制御要求手段１５から移動端末機２２に対して、ステップサイズ設定変更要求を出力させる（Ｓ２０）。例えば、現在設定されているステップサイズが１ｄＢであれば、＋１ｄＢさせて、ステップサイズを２ｄＢに設定する。
【００３６】
制御部１４は、全てのステップサイズ設定について、移動端末機２２の送信電力の測定を実施したと判定する（Ｓ１９−Ｙｅｓ）と、メモリ１７ｃへの波形データの記憶と、解析結果メモリ１８ｃへの検出されたスロットの電力の記憶とを終了する（Ｓ２１）。表示制御手段２０は、解析結果メモリ１８ｃに記憶されている検出されたスロットの電力を読み出し、これらの電力を時系列に連続して並べてグラフ表示するための表示データを作成する。そして、表示制御手段２０は、この表示データを表示器２１に表示させる（Ｓ２２）。
【００３７】
図１９は、信号解析装置１１の表示器２１に表示されたＣＬＰＣ測定結果の一例を示している。表示画面２４には、縦軸を電力Ｐ（単位ｄＢｍ、目盛の値については表記を省略している）、横軸を時間ｔとするグラフが表示されている。ここでは、スロット毎の電力が階段状のグラフで表され、画面に向かって左側から右側に時系列に連続して並べられている。図１９の区間イにおいては、移動端末機２２の送信電力を１ｄＢステップで低下させるように制御したときの測定結果が示されており、同様に、区間ロは１ｄＢステップで増加、区間ハは２ｄＢステップで低下、区間ニは２ｄＢステップで増加させるように制御したときの測定結果が示されている。なお、図１９では図示していないが、信号解析装置１１の判定手段１１は、測定結果とＣＬＰＣ機能の試験の規格値とを対比し、異常と判断される場合は、表示制御手段２０により異常を示す表示が表示器２１表示される。
【００３８】
このような信号解析装置の構成は、例えば特許文献１に開示されている。
【特許文献１】特開２００３−４６４３１
【発明の開示】
【発明が解決しようとする課題】
【００３９】
ところが、このような従来の信号解析装置１や信号解析装置１１には、以下に示すような問題があった。
【００４０】
近年、ＣＤＭＡ変調方式を採用した移動体通信規格として、時分割復信方式（ＴＤＤ方式）によるＴＤ−ＣＤＭＡ、ＴＤ−ＳＣＤＭＡ通信方式が提唱されている。以下、本明細書においては、ＴＤ−ＳＣＤＭＡ通信方式を例として説明を行う。
【００４１】
図２０に、ＴＤ−ＳＣＤＭＡのフレーム構造を示す。ＴＤ−ＳＣＤＭＡでは、通信の単位として、フレーム長１０ｍｓのＲａｄｉｏｆｒａｍｅ（以下、ｆｒａｍｅと記す）が規定されている。ｆｒａｍｅは２つのｓｕｂ−ｆｒａｍｅから成っている。ｓｕｂ−ｆｒａｍｅは、＃０〜＃６のｔｉｍｅｓｌｏｔ（以下、単にスロットと記す場合もある）と、ｔｉｍｅｓｌｏｔ＃０とｔｉｍｅｓｌｏｔ＃１の間に位置するＤｗＰＴＳ、ＧＰ、ＵｐＰＴＳとから成っている。
【００４２】
ここで、ｔｉｍｅｓｌｏｔ＃０〜＃６は、基地局から移動端末機へ（Ｄｏｗｎｌｉｎｋ）、もしくは移動端末機から基地局へ（Ｕｐｌｉｎｋ）の通信データあるいは制御情報の送受に使用される。なお、ｔｉｍｅｓｌｏｔ＃０はＤｏｗｎｌｉｎｋ専用、ｔｉｍｅｓｌｏｔ＃１はＵｐｌｉｎｋ専用に割り当てられるが、ｔｉｍｅｓｌｏｔ＃２〜＃６は、通信状態によってＤｏｗｎｌｉｎｋとＵｐｌｉｎｋのいずれかに割り当てられる。また、ＤｗＰＴＳ、ＵｐＰＴＳは、それぞれＤｏｗｎｌｉｎｋ／Ｕｐｌｉｎｋの時刻同期用のパイロット信号である。また、ＧＰは、送信源が異なるスロット間での衝突を回避するためのガード期間である。
【００４３】
そして、基地局に接続した移動端末機に対して、ｔｉｍｅｓｌｏｔ＃１〜＃６のいずれか２つが、基地局とその移動端末機との通信のＤｏｗｎｌｉｎｋ／Ｕｐｌｉｎｋに１つずつ割り当てられる（なお、ＴＤ−ＳＣＤＭＡ通信規格によっては、１つの移動端末機に対するＤｏｗｎｌｉｎｋ／Ｕｐｌｉｎｋへの割り当てが複数となる場合もある）。
【００４４】
このようなＴＤ−ＳＣＤＭＡ通信方式の信号を、従来の信号解析装置１で解析すると、検出した各スロット毎の電力が時系列に連続して表示される。このため、複数の移動端末機とのＤｏｗｎｌｉｎｋ／Ｕｐｌｉｎｋのスロット毎の電力が混在して表示されることになり、特定の移動端末機からのＵｐｌｉｎｋにおけるスロット毎の電力、もしくは、Ｄｏｗｎｌｉｎｋにおける特定のスロット毎の電力を測定者が観測したい場合に、電力の推移の把握が困難になるという問題があった。
【００４５】
また、従来の信号解析装置１１においても、移動端末機からの送信電力を観測した際、その移動端末機に割り当てられるＵｐｌｉｎｋのスロットは、ｔｉｍｅｓｌｏｔ＃１〜＃６のいずれか１つ（もしくは複数）となり、各スロットのデータを時系列に連続して並べて表示すると、観測したいスロットの電力が飛び飛びにグラフ表示され、測定者にとって電力の推移の把握が困難になるという問題があった。これらの問題は、前述のＴＤ−ＣＤＭＡ通信方式においても同様である。
【００４６】
本発明は、以上のような問題を解決し、時分割復信方式のＣＤＭＡ信号を解析し、スロット毎の電力をグラフ表示する際に、所望する特定のスロットの電力の推移を、測定者が容易に把握することができる信号解析装置を提供することを目的とする。
【課題を解決するための手段】
【００４７】
上述の目的を達成するために、本発明の請求項１の信号解析装置は、解析対象であるＣＤＭＡ信号を受信する受信手段（３２，５７）と、該受信手段で受信したＣＤＭＡ信号のスロット毎の電力を検出して記憶する解析部（３３，５８，６７）と、表示器（３５，６１）と、前記解析部で検出したスロット毎の電力を時系列に並べて前記表示器にグラフ表示する表示制御手段（３４，６０，６８）とを備えた信号解析装置（３１，５１，６４）において、前記解析対象であるＣＤＭＡ信号は時分割復信方式のＣＤＭＡ信号であり、当該時分割復信方式のＣＤＭＡ信号のスロット名を指定するスロット指定手段（３６，６２，６５）を備え、前記表示制御手段は、前記スロット指定手段で指定されたスロット名のスロットの電力を前記解析部から受けて、当該電力を時系列に連続して並べて前記表示器にグラフ表示することを特徴とする。
【００４８】
また、本発明の請求項２の信号解析装置は、請求項１の信号解析装置において、前記スロット指定手段は、複数のスロット名を指定可能であることを特徴とする。
【００４９】
また、本発明の請求項３の信号解析装置は、請求項２の信号解析装置において、前記表示制御手段は、前記スロット指定手段で指定された複数のスロット名別に分けて前記電力を時系列に連続して並べて前記表示器にグラフ表示することを特徴とする。
【００５０】
また、本発明の請求項４の信号解析装置は、請求項１乃至３の信号解析装置において、前記解析部は、前記指定された名のスロットを時系列に並べた場合に、該並べられたスロットそれぞれについて、当該スロットと、当該スロットから所定数離れたスロットとの前記電力の相対値を算出し、前記表示制御手段が前記表示器に表示するグラフ表示は、前記相対値を時系列に連続して並べたグラフ表示であることを特徴とする。
【発明の効果】
【００５１】
このように、本願発明の信号解析装置は、解析対象である時分割復信方式のＣＤＭＡ信号のスロット名を指定し、この指定されたスロット名のスロットの電力を時系列に連続して並べて表示器にグラフ表示する構成としているので、所望するスロット名のスロットの電力の推移を、測定者が容易に把握することができる。
【００５２】
また、本願の別な発明での信号解析装置は、解析対象である時分割復信方式のＣＤＭＡ信号のスロット名を指定し、この指定された名のスロットを時系列に並べた場合に、この並べられたスロットそれぞれについて、このスロットと、このスロットから所定数離れたスロットとの前記電力の相対値を算出し、この相対値を時系列に連続して並べて前記表示器にグラフ表示する構成としているので、所望するスロット名のスロットの電力の推移について、測定者がさらに容易に把握することができる。
【発明を実施するための最良の形態】
【００５３】
以下、図面に基づいて、本発明の実施の形態を説明する。
【００５４】
図１は、本願発明を適用した信号解析装置３１の構成を示している。なお、従来の信号解析装置１と同様の構成については、適宜説明を省略する。
【００５５】
信号解析装置３１は、受信手段３２、解析部３３、表示制御手段３４、表示器３５およびスロット指定手段３６から構成されている。ここで、受信手段３２、解析部３３、表示器３５は、ＴＤ−ＳＣＤＭＡ信号を解析対象として処理すること以外は、従来の信号解析装置１と同様の構成である。
【００５６】
スロット指定手段３６は、測定者からの操作により、測定者が観測を所望するスロットのスロット名を指定可能となっている。この指定するスロット名は、ＴＤ−ＳＣＤＭＡ通信規格のｔｉｍｅｓｌｏｔ＃０〜＃６、ＤｗＰＴＳ、ＵｐＰＴＳのうち、いずれか１つもしくは複数が指定可能である。
【００５７】
表示制御手段３４は、解析部３３に記憶された各スロット毎の電力のうち、スロット指定手段３６で指定されたスロット名に該当するスロットの電力を読み出し、この指定されたスロット名に該当するスロットの電力をグラフ表示するための表示データを作成して出力する。表示制御手段３４は、この表示データを、指定されたスロット名に該当する各スロット毎の電力を受信手段３２が受信した順、即ち時系列順に連続して並べて表示させるように作成している。
【００５８】
このように構成された信号解析装置３１の動作を、図２を用いて説明する。まず、信号解析装置３１は、測定者の操作により測定を開始し、解析対象であるＣＤＭＡ信号を受信手段３２で受信して、この信号波形を波形データとして記憶する（Ｓ３１）。
【００５９】
次に、解析部３３が、受信手段３２に記憶されている波形データから、各スロット毎の電力を検出し、その検出した電力を記憶する（Ｓ３２）。そして、測定者は、スロット指定手段３６により、測定者が観測を所望するスロット名、即ち、表示対象とするスロット名を１つ又は複数指定する（Ｓ３３）。
【００６０】
表示制御手段３４は、各スロット毎の電力のうち、スロット指定手段３６で指定されたスロット名に該当するスロットの電力を読み出し、この指定されたスロット名に該当するスロットの電力を時系列に連続して並べてグラフ表示するための表示データを作成し、この表示データを表示器３５に表示させる（Ｓ３４）。
【００６１】
なお、上述した図１及び図２の説明において、波形データから各スロット毎の電力を検出した後、測定者がスロット名を指定して表示させるようにしているが、測定開始の前に、測定者が予めスロット名を指定するようにしても良い。また、測定者が予めスロット名を指定しておき、この指定されたスロット名を解析部３３が受け、解析部３３はこの指定されたスロット名のスロットの電力のみを検出して記憶するようにしても良い。
【００６２】
図３は、本発明の信号解析装置３１の表示制御手段３４の動作の概念を表す図である。図３のグラフ３７は、検出したスロット毎の電力を棒グラフで表した概念図であり、実際には解析部３３に数値で記憶されている。図３のグラフ３８は、表示制御手段３４によって作成された表示データを棒グラフで表した概念図であり、実際には表示制御手段３４においてデータとして処理されている。
【００６３】
グラフ３７では、受信したｆｒａｍｅ＃ｉ、＃ｉ＋１、・・・の順に時系列にスロット毎の電力が並んでいる。また、１つのｆｒａｍｅは２つのｓｕｂ−ｆｒａｍｅに分けられており、ｓｕｂ−ｆｒａｍｅ＃１、＃２の順に並んでいる。さらに１つのｓｕｂ−ｆｒａｍｅでは、ｔｉｍｅｓｌｏｔ＃０〜＃６が順に並んでいる。なお、ＤｗＰＴＳ、ＵｐＰＴＳは、ｔｉｍｅｓｌｏｔ＃０とｔｉｍｅｓｌｏｔ＃１との間に位置している。また、本例のグラフ３７において、ｔｉｍｅｓｌｏｔ＃４とｔｉｍｅｓｌｏｔ＃６とついては、割り当てられた移動端末機が無い状態であるため、棒グラフが非常に小さい（電力が非常に小さい）状態となっている。
【００６４】
ここで、スロット指定手段３６により、ｔｉｍｅｓｌｏｔ＃１が指定されたとする。表示制御手段３４は、グラフ３７からｔｉｍｅｓｌｏｔ＃１のデータを、各ｓｕｂ−ｆｒａｍｅ毎に抜き出す（実際には解析部３３に記憶された数値を読み出す）。そして、抜き出したｔｉｍｅｓｌｏｔ＃１のデータを時系列に連続して並べて、グラフ３８の表示データを作成する。グラフ３８では、ｆｒａｍｅ＃ｉ／ｓｕｂ−ｆｒａｍｅ＃１のｔｉｍｅｓｌｏｔ＃１のデータ、ｆｒａｍｅ＃ｉ／ｓｕｂ−ｆｒａｍｅ＃２のｔｉｍｅｓｌｏｔ＃１のデータ、以下同様にｆｒａｍｅ＃ｉ＋１／ｓｕｂ−ｆｒａｍｅ＃１、ｆｒａｍｅ＃ｉ＋１／ｓｕｂ−ｆｒａｍｅ＃２、ｆｒａｍｅ＃ｉ＋２／ｓｕｂ−ｆｒａｍｅ＃１、ｆｒａｍｅ＃ｉ＋２／ｓｕｂ−ｆｒａｍｅ＃２、・・・の順に並べられている。
【００６５】
図４は、信号解析装置３１の表示器３５に表示された解析結果の表示の一例を示している。表示画面４１には、縦軸を電力Ｐ（通常、単位ｄＢｍ）、横軸を時間ｔとするグラフが表示されている。なお、横軸には、時間の代わりにスロット個数を用いても良い。ここでは、スロット指定手段３６でｔｉｍｅｓｌｏｔ＃１が指定されたものとして、ｔｉｍｅｓｌｏｔ＃１のスロット毎の電力が棒グラフで表され、画面に向かって左側から右側に時系列に連続して並べられている。また、表示画面４１の左上部には「Ｄｉｓｐｌａｙ：ｔｉｍｅｓｌｏｔ＃１」と表示され、測定者がどのスロットを観測しているかを容易に把握することができるようにしている。このような表示とすることにより、測定者が所望するスロット名のスロットの電力の推移を、測定者が容易に把握することができる。
【００６６】
図５は、信号解析装置３１の表示器３５に表示された解析結果の別な一例を示している。表示画面４２には、図４と同様に、縦軸を電力Ｐ（通常、単位ｄＢｍ）、横軸を時間ｔとするグラフが表示されている。ここでは、スロット指定手段３６でｔｉｍｅｓｌｏｔ＃１とｔｉｍｅｓｌｏｔ＃３とが指定されたものとして、ｔｉｍｅｓｌｏｔ＃１とｔｉｍｅｓｌｏｔ＃３とのスロット毎の電力が棒グラフで表され、画面に向かって左側から右側に時系列に連続して並べられている。時系列に並べているので、ｔｉｍｅｓｌｏｔ＃１とｔｉｍｅｓｌｏｔ＃３とのデータが交互に並んで表示されるようになっている。このような表示とすることにより、例えば、１つの移動端末機のＵｐｌｉｎｋ（もしくはその移動端末機に対応する基地局からのＤｏｗｎｌｉｎｋ）に複数のスロットが割り当てられているような場合でも、その１つの移動端末機に対するスロットの電力の推移を、測定者が容易に把握することができる。
【００６７】
図６は、信号解析装置３１の表示器３５に表示された解析結果の表示のさらに別な一例を示している。表示画面４３には、図４、図５と同様に、縦軸を電力Ｐ（通常、単位ｄＢｍ）、横軸を時間ｔとするグラフが表示されている。ここでは、スロット指定手段３６でｔｉｍｅｓｌｏｔ＃１とｔｉｍｅｓｌｏｔ＃３とが指定されたものとして、ｔｉｍｅｓｌｏｔ＃１とｔｉｍｅｓｌｏｔ＃３とのスロット毎の電力が棒グラフで表され、画面に向かって左側から右側に時系列に連続して並べられている。ただし、図５と異なり、測定者がスロット指定手段３６を介して行った設定により、ｔｉｍｅｓｌｏｔ＃１とｔｉｍｅｓｌｏｔ＃３とのスロット毎の電力が別々にされ、ｔｉｍｅｓｌｏｔ＃１のスロット毎の電力を時系列に並べた表示画面４４と、ｔｉｍｅｓｌｏｔ＃３のスロット毎の電力を時系列に並べた表示画面４５とが１つの表示画面４３に同時に表示されている。なお、表示画面４３においては、表示画面４４及び表示画面４５の横軸（時間軸）のスケールは同一であり、同じｓｕｂ−ｆｒａｍｅにおけるｔｉｍｅｓｌｏｔ＃１とｔｉｍｅｓｌｏｔ＃３とのデータの位置は、表示画面４３の横軸において同じ位置となるように表示されている。
【００６８】
このような表示とすることにより、例えば、１つの移動端末機のＵｐｌｉｎｋ（もしくはその移動端末機に対応する基地局からのＤｏｗｎｌｉｎｋ）に複数のスロットが割り当てられているような場合でも、その１つの移動端末機に対するスロットの電力の推移を、スロット名別に測定者が容易に把握することができる。あるいは、複数の移動端末機のＵｐｌｉｎｋ（もしくはそれらの移動端末機に対応する基地局からのＤｏｗｎｌｉｎｋ）のスロットの電力の推移を比較したい場合や、１つの移動端末機のＵｐｌｉｎｋとその移動端末機に対応する基地局からのＤｏｗｎｌｉｎｋとのスロットの電力の推移を比較したい場合にも有用である。
【００６９】
さらに、図４、図５、図６の表示について、例えば図３のグラフ３７で示した、移動端末機が割り当てられていないｔｉｍｅｓｌｏｔ＃４又はｔｉｍｅｓｌｏｔ＃６をスロット指定手段３６で指定して表示させることも有用である。この場合、ｔｉｍｅｓｌｏｔ＃４又はｔｉｍｅｓｌｏｔ＃６のいずれか１つを表示する、もしくは、他のｔｉｍｅｓｌｏｔ＃０、＃３、＃５と併せて表示することにより、移動端末機が割り当てられていないスロットについて、隣接するスロットからの干渉電力の有無やその度合いを観測することができる。
【実施例】
【００７０】
（第１の実施例）
図７は、本発明を適用した信号解析装置５１の構成を示している。この信号解析装置は、ＴＤ−ＳＣＤＭＡ通信方式を採用した移動端末機６３を試験対象として、前述したＣＬＰＣ機能の試験を行うように構成されている。なお、従来の信号解析装置１１と同様の構成については、適宜説明を省略する。
【００７１】
図７の信号解析装置５１は、接続端子５１ａ、方向性結合器５２、電力制御設定手段５３、制御部５４、電力制御要求手段５５、送信回路５６、受信手段５７、解析部５８、判定手段５９、表示制御手段６０、表示器６１、スロット指定手段６２から構成されている。さらに、受信手段５７は、受信回路５７ａ、Ａ／Ｄ変換器５７ｂ、メモリ５７ｃから構成されている。また、解析部５８は、スロット検出手段５８ａ、スロット電力検出手段５８ｂ、解析結果メモリ５８ｃから構成されている。
【００７２】
ここで、接続端子５１ａ、方向性結合器５２、電力制御設定手段５３、電力制御要求手段５５、送信回路５６、受信手段５７、解析部５８、判定手段５９、表示器６１、さらに、受信手段５７に含まれる受信回路５７ａ、Ａ／Ｄ変換器５７ｂ、メモリ５７ｃ、解析部５８に含まれるスロット検出手段５８ａ、スロット電力検出手段５８ｂ、解析結果メモリ５８ｃは、ＴＤ−ＳＣＤＭＡ信号を解析対象として処理すること以外は、従来の信号解析装置１１と同様の構成である。
【００７３】
スロット指定手段６２は、測定者からの操作により、測定者が観測を所望するスロットのスロット名を指定可能となっている。この指定するスロット名は、ＴＤ−ＳＣＤＭＡ通信規格のｔｉｍｅｓｌｏｔ＃０〜＃６、ＤｗＰＴＳ、ＵｐＰＴＳのうち、いずれか１つもしくは複数が指定可能である。
【００７４】
制御部５４は、従来の信号解析装置１１の制御部１４が有する機能の他に、スロット指定手段６２で指定されたスロット名の情報を受けて、表示制御手段６０にこの指定されたスロット名の情報を伝えている。
【００７５】
表示制御手段６０は、解析結果メモリ５８ｃに記憶された各スロット毎の電力のうち、スロット指定手段６２で指定されたスロット名に該当するスロットの電力を読み出し、この指定されたスロット名に該当するスロットの電力をグラフ表示するための表示データを作成して出力する。表示制御手段６０は、この表示データを、各スロット毎の電力を受信手段５７が受信した順、即ち時系列順に連続して並べて表示させるように作成している。
【００７６】
このように構成された信号解析装置５１の動作を、図８を用いて説明する。図８は、ＣＬＰＣ機能の試験の一部について表したフローチャートである。
【００７７】
図８において、測定対象とする信号はＴＤ−ＳＣＤＭＡ信号であり、測定もＴＤ−ＳＣＤＭＡ通信方式の規格に対応した場合を例示している。前述のＴＤ−ＣＤＭＡ信号についても同様に動作が可能である。これらのこと以外については、従来の信号解析装置１１の動作を表した図１８のＳ１１〜Ｓ２１と、図８のＳ４１〜Ｓ５１との動作は同様である。このため、図８のＳ４１〜Ｓ５１については、説明を省略する。
【００７８】
図８で、メモリ５７ｃへの波形データの記憶と、解析結果メモリ５８ｃへの検出されたスロットの電力の記憶とを終了する（Ｓ５１）と、測定者は、スロット指定手段６２により、測定者が観測を所望するスロット名、即ち、表示対象とするスロット名を１つ又は複数指定する（Ｓ５２）。表示制御手段６０は、解析結果メモリ５８ｃに記憶されている検出されたスロットの電力のうち、スロット指定手段６２で指定されたスロット名に該当するスロットの電力を読み出し、この指定されたスロット名に該当するスロットの電力を時系列に連続して並べてグラフ表示するための表示データを作成する。そして、表示制御手段６０は、この表示データを表示器６１に表示させる（Ｓ５３）。
【００７９】
図９は、信号解析装置５１の表示器６１に表示された解析結果の一例を示している。図９において、表示画面７１には、電力グラフ表示部７２と、区分表示部７３とが表示されている。
【００８０】
電力グラフ表示部７２には、縦軸を電力Ｐ（通常、単位ｄＢｍ、目盛の値については表記を省略している）、横軸を時間ｔとし、測定結果としての各スロット毎の電力が、画面に向かって左側から右側に時系列に連続して並べられて階段状のグラフで表示されている。
【００８１】
区分表示部７３は、測定結果がどの区間（Ｓｔｅｐ）に区分されるかを測定者が把握できるようにするため、Ｓｔｅｐの区分を表示しているものである。区分表示部７３には、ＣＬＰＣ機能の規格に対応したＳｔｅｐの記号Ｂ〜Ｇが表示されている。ここで、ＳｔｅｐＢの区間は、移動端末機６３の送信電力を１ｄＢステップで低下させるように制御する区間であり、以下同様に、ＳｔｅｐＣは１ｄＢステップで増加、ＳｔｅｐＤは２ｄＢステップで低下、ＳｔｅｐＥは２ｄＢステップで増加、ＳｔｅｐＦは３ｄＢステップで低下、ＳｔｅｐＧは３ｄＢステップで増加させるように制御する区間である。この区分は、電力グラフ表示部７２に表示される測定結果に対応して表示される。
【００８２】
ＣＬＰＣ機能の測定においては、特定の移動端末機の送信電力の推移を測定者が適切に把握できることが重要である。本実施例の信号解析装置５１は、測定者が所望するスロット名のスロットの電力を、図９に示すように時系列に連続して並べて表示している。これにより、測定者は、解析対象とする信号がＴＤ−ＳＣＤＭＡ信号であっても、特定の移動端末機の送信電力の推移を容易に把握することができる。
【００８３】
（第２の実施例）
図１０は、第２の実施例としての信号解析装置６４の構成を示している。第１の実施例と同様の構成となる部分については、同じ符号を付し、適宜説明を省略する。
【００８４】
スロット指定手段６５は、上述の第１の実施例で説明したスロット指定手段６２の機能に加え、あるスロットと、そのスロットから所定数離れたスロットとの電力の相対値を表示させるために、この所定数としてのスロット間隔数を指定可能とする機能を有している。このスロット間隔数は、ＴＤ−ＳＣＤＭＡの規格に対応して、１（即ち隣接したスロット）か１０のいずれかを選択して指定可能となっている。
【００８５】
制御部６６は、上述の第１の実施例で説明した制御部５４の機能に加え、スロット指定手段６５で指定されたスロット名の情報及びスロット間隔数の情報を、後述するスロット電力検出手段６７ｂ及び表示制御手段６８に送出する機能を有している。
【００８６】
解析部６７は、スロット検出手段６７ａ、スロット電力検出手段６７ｂ、解析結果メモリ６８ｃから構成されている。ここで、スロット検出手段６７ａは、上述の第１の実施例で説明したスロット検出手段５８ａと同様の構成である。
【００８７】
スロット電力検出手段６７ｂは、スロット検出手段６７ａが検出した各スロット毎の電力を算出する。また、スロット指定手段６５で指定されたスロット名の情報及びスロット間隔数の情報を受けて、この指定されたスロット名に該当するスロットの電力を時系列に並べた場合に、この並べられたスロットそれぞれについて、このスロットと、このスロットから指定されたスロット間隔数だけ離れたスロットとの電力の相対値を算出している。なお、スロット電力検出手段６７ｂは、スロット指定手段６５で指定されたスロット名の情報及びスロット間隔数の情報を受けずに、指定される可能性のある全てのスロット名及び全てのスロット間隔数での電力の相対値を算出してしまうように構成しても良い。
【００８８】
解析結果メモリ６７ｃは、スロット検出手段６７ａおよびスロット電力検出手段６７ｂによって検出されたスロット数、各スロットの電力、前述したスロットの電力の相対値を解析結果として記憶している。
【００８９】
表示制御手段６８は、解析結果メモリ６８ｃに記憶された各スロット毎の電力のうち、スロット指定手段６５で指定されたスロット名に該当するスロットの電力の相対値を読み出し、この相対値を時系列に連続して並べてグラフ表示するための表示データを作成して、表示器６１に出力する。なお、表示制御手段６８は、この算出された相対値と、算出元のスロットの電力とを１つの画面に表示するための表示データを作成して出力するようにしても良い。
【００９０】
本実施例の信号解析装置６４の動作を、図１１を用いて説明する。図１１は、ＣＬＰＣ機能の試験の一部について表したフローチャートである。なお、第１の実施例の動作を表した図８のＳ４１〜Ｓ５１と、図１１のＳ６１〜Ｓ７１との動作は同様である。このため、図１１のＳ６１〜Ｓ７１については、説明を省略する。
【００９１】
図１１で、波形データのメモリ５７ｃへの記憶と、解析結果メモリ５８ｃへの検出されたスロットの電力の記憶とを終了する（Ｓ７１）と、測定者は、スロット指定手段６５により、測定者が観測を所望するスロット名、即ち、表示対象とするスロット名を１つ又は複数指定するとともに、相対値表示のために必要なスロット間隔数を指定する（Ｓ７２）。
【００９２】
解析部６７のスロット電力検出手段６７ｂは、スロット指定手段６５で指定されたスロット名のスロットの電力について、これらの電力を時系列に連続して並べた場合に、この並べられたスロットそれぞれについて、このスロットと、このスロットから指定されたスロット間隔数だけ離れたスロットとの電力の相対値を算出し、解析結果メモリ６７ｃに記憶する（Ｓ７３）。
【００９３】
そして、表示制御手段６８は、スロット指定手段６５で指定されたスロット名及びスロット間隔数に該当する相対値を解析結果メモリ６７ｃから読み出し、この相対値を時系列に連続して並べてグラフ表示するための表示データを作成し、この表示データを表示器６１に表示させる（Ｓ７４）。
【００９４】
図１２は、本実施例の信号解析装置５１の表示器６１に表示された解析結果の一例を示している。図１２は、相対値と、算出元のスロットの電力とを１つの画面に表示した例であり、表示画面７４には、電力グラフ表示部７５、区分表示部７６、相対値グラフ表示部７７が表示されている。ここで、電力グラフ表示部７５、区分表示部７６は、上述の第１の実施例の図９における電力グラフ表示部７２、区分表示部７３とそれぞれ同様である。
【００９５】
相対値グラフ表示部７７には、縦軸を電力差（単位ｄＢ）、横軸を時間ｔとし、測定結果としての各スロットの電力の相対値が、画面に向かって左側から右側に時系列に連続して並べられて階段状のグラフで表示されている。なお、横軸は、電力グラフ表示部７５と同一であり、測定者が相対値グラフと電力グラフとを容易に比較できるようになっている。この例では、前述のスロット間隔数は１、即ち隣接したスロットが指定されており、あるスロットについて、そのスロットの時系列的に１つ前のスロットとの電力の相対値が示されている。
【００９６】
なお、相対値は正数をとって算出されて、表示されている。具体的には、移動端末機６３の送信電力を低下させる区間（ＳｔｅｐＢ，ＳｔｅｐＤ，ＳｔｅｐＦ）では、２つのスロットの電力の差分を算出したものに−１を乗じて正数の相対値とし、移動端末機６３の送信電力を増加させる区間（ＳｔｅｐＣ，ＳｔｅｐＥ，ＳｔｅｐＧ）では、２つのスロットの電力の差分を算出したものに１を乗じて（つまりそのままの値として）正数の相対値として算出している。このように、相対値を正数で表示することにより、正負の値で表示するのに比べて、表示画面７４における相対値グラフ表示部７７の表示面積を小さくすることができる。
【００９７】
図１２において、相対値グラフ表示部７７のＳｔｅｐＢ及びＳｔｅｐＣの区間では、移動端末機６３のステップサイズの設定は、１ｄＢである。従って、移動端末機６３の送信電力が精度良く制御されていれば、ＳｔｅｐＢ及びＳｔｅｐＣの区間のグラフは１ｄＢで横に一直線となるはずである。ところが、グラフではａ点で乱れが生じており、この部分で移動端末機６３の送信電力に誤差が生じていることが、測定者に容易に分かる。
【００９８】
同様に、相対値グラフ表示部７７のＳｔｅｐＤ及びＳｔｅｐＥの区間では、移動端末機６３のステップサイズの設定は２ｄＢである。グラフではｂ点で乱れが生じており、この部分で移動端末機６３の送信電力に誤差が生じていることが分かる。また、ＳｔｅｐＦ及びＳｔｅｐＧの区間では、移動端末機６３のステップサイズの設定は３ｄＢである。グラフは３ｄＢ一定で乱れが生じておらず、この部分で移動端末機６３の送信電力は精度良く制御されていることが分かる。
【００９９】
図１３は、解析結果のさらに別の表示例を示している。図１３の表示画面７８には、電力グラフ表示部７５、区分表示部７６、相対値グラフ表示部７９が表示されている。この例では、スロット間隔数は図１２と同様に１が指定され、相対値グラフ表示部７９には、各スロットについて、時系列的に１つ前のスロットとの電力の相対値が示されている。ここで、図１２の例と異なり、相対値グラフ表示部７９は、相対値は正負の値として算出されており、表示も正負の値で示されている。この例でも、グラフのａ点及びｂ点で乱れが生じており、この部分で移動端末機６３の送信電力に誤差が生じていることが、測定者に容易に分かる。
【０１００】
本実施例の信号解析装置６４は、測定者が所望するスロット名及びスロット間隔数に対応して、スロットの電力の相対値を、図１２に示すように時系列に連続して並べて表示している。このため、測定者は、特定の移動端末機の送信電力の推移を容易に把握することができ、移動端末機の送信電力制御の誤差の傾向や、異常点を容易に知ることができる。
【図面の簡単な説明】
【０１０１】
【図１】本発明の実施形態のブロック図
【図２】本発明の実施形態のフローチャート
【図３】本発明の実施形態における表示データを作成する概念図
【図４】本発明の実施形態の表示例
【図５】本発明の実施形態の別な表示例
【図６】本発明の実施形態のさらに別な表示例
【図７】本発明の第１の実施例のブロック図
【図８】本発明の第１の実施例のフローチャート
【図９】本発明の第１の実施例の表示例
【図１０】本発明の第２の実施例のブロック図
【図１１】本発明の第２の実施例のフローチャート
【図１２】本発明の第２の実施例の表示例
【図１３】本発明の第２の実施例の別な表示例
【図１４】従来の信号解析装置のブロック図
【図１５】従来の信号解析装置のフローチャート
【図１６】従来の信号解析装置の表示例
【図１７】従来の信号解析装置の１実施例のブロック図
【図１８】従来の信号解析装置の１実施例のフローチャート
【図１９】従来の信号解析装置の１実施例の表示例
【図２０】ＴＤ−ＳＣＤＭＡのフレーム構造
【符号の説明】
【０１０２】
３１…信号解析装置、３２…受信手段、３３…解析部、３４…表示制御手段、３５…表示器、３６…スロット指定手段、５１…信号解析装置、５１ａ…接続端子、５２…方向性結合器、５３…電力制御設定手段、５４…制御部、５５…電力制御要求手段、５６…送信回路、５７…受信手段、５７ａ…受信回路、５７ｂ…Ａ／Ｄ変換器、５７ｃ…メモリ、５８…解析部、５８ａ…スロット検出手段、５８ｂ…スロット電力検出手段、５８ｃ…解析結果メモリ、５９…判定手段、６０…表示制御手段、６１…表示器、６２…スロット指定手段、６４…信号解析装置、６５…スロット指定手段、６６…制御部、６７…解析部、６７ａ…スロット検出手段、６７ｂ…スロット電力検出手段、６７ｃ…解析結果メモリ、６８…表示制御手段
【図１】
2008306505.tif 000003
【図２】
2008306505.tif 000004
【図３】
2008306505.tif 000005
【図４】
2008306505.tif 000006
【図５】
2008306505.tif 000007
【図６】
2008306505.tif 000008
【図７】
2008306505.tif 000009
【図８】
2008306505.tif 000010
【図９】
2008306505.tif 000011
【図１０】
2008306505.tif 000012
【図１１】
2008306505.tif 000013
【図１２】
2008306505.tif 000014
【図１３】
2008306505.tif 000015
【図１４】
2008306505.tif 000016
【図１５】
2008306505.tif 000017
【図１６】
2008306505.tif 000018
【図１７】
2008306505.tif 000019
【図１８】
2008306505.tif 000020
【図１９】
2008306505.tif 000021
【図２０】
2008306505.tif 000022
【手続補正書】
【提出日】平成20年9月30日(2008.9.30)
【手続補正１】
【補正対象書類名】特許請求の範囲
【補正対象項目名】請求項１
【補正方法】変更
【補正の内容】
【請求項１】
解析対象であるＣＤＭＡ信号を受信し、受信したＣＤＭＡ信号のスロット毎の電力を算出して記憶し、当該記憶した電力を順次表示器に表示することができる信号解析装置において、
前記解析対象であるＣＤＭＡ信号は時分割復信方式のＣＤＭＡ信号であり、
受信した時分割復信方式のＣＤＭＡ信号のスロット毎の電力を算出して記憶する解析部（３３，５８，６７）と、
当該時分割復信方式のＣＤＭＡ信号の複数のスロット名のうちから所望のスロット名を指定するスロット指定手段（３６，６２，６５）と、
前記スロット指定手段で指定された所望のスロット名に対応するスロットのみの前記電力を時系列に並べて前記表示器にグラフ表示する表示制御手段（３４，６０，６８）とを備えたことを特徴とする信号解析装置。
【手続補正２】
【補正対象書類名】明細書
【補正対象項目名】００４７
【補正方法】変更
【補正の内容】
【００４７】
上述の目的を達成するために、本発明の請求項１の信号解析装置は、解析対象であるＣＤＭＡ信号を受信し、受信したＣＤＭＡ信号のスロット毎の電力を算出して記憶し、当該記憶した電力を順次表示部に表示することができる信号解析装置において、前記解析対象であるＣＤＭＡ信号は時分割復信方式のＣＤＭＡ信号であり、受信した時分割復信方式のＣＤＭＡ信号のスロット毎の電力を算出して記憶する解析部（３３，５８，６７）と、当該時分割復信方式のＣＤＭＡ信号の複数のスロット名のうちから所望のスロット名を指定するスロット指定部（３６，６２，６５）と、前記スロット指定部で指定された所望のスロット名に対応するスロットのみの前記電力を時系列に並べて前記表示部にグラフ表示する表示制御部（３４，６０，６８）とを備えたことを特徴とする。